(57)【特許請求の範囲】
【請求項１】
一方の側はプランジャを収容するために開口し、もう一方の側はルアーロック接続部（２，３，４）の形で注射器接続部に開口する、特に予め充填可能なまたは予め充填された注射器用の注射筒であって、前記ルアーロック接続部（２，３，４）は、ルアー接続部（２）と内部スレッド（４）を備えたシリンダ部（３）とで形成され、前記シリンダ部（３）は前記ルアー接続部（２）を包囲し、前記シリンダ部（３）の外周には、接続側終端部（５）に向かってテーパー形状の少なくとも１つのリング（６）が設けられており、
前記ルアー接続部（２）を覆い、注射筒の不正開封を防ぐためのウェブ（１３）あるいは薄い壁（１４）を介して前記リング（６）に接続される封鎖キャップ（１１）が設けられ、この封鎖キャップ（１１）および前記シリンダ部（３）は１つの射出成形された部品として設計される注射筒。
【請求項２】
請求項１に記載の注射筒において、前記リング（６）及び前記シリンダ部（３）は射出成形された１つの部品として形成される注射筒。
【請求項３】
請求項１にまたは２に記載の注射筒において、前記リング（６）は、円錐状に形成され円周の端部（７）を有する注射筒。
【請求項４】
請求項１〜３のいずれか一つに記載の注射筒において、テーパー形状の端部を有する前記リング（６）は、無段で前記シリンダ部（３）に連続する注射筒。
【請求項５】
請求項１〜４のいずれか一つに記載の注射筒において、前記リング（６）は、前記シリンダ部（３）の端面と同一平面に閉鎖する注射筒。
【請求項６】
請求項１〜５のいずれか一つに記載の注射筒において、注射器プランジャを収容するために提供される前記シリンダ（１）は、前記ルアー接続部（２）および前記シリンダ部（３）と共に、プラスチックの射出成形された１つの部品として設計され、前記リング（６）は、溶接することにより前記シリンダ部に接続されるか、あるいは、シリンダ部の自由端に対し押圧されることにより、シリンダ部（３）に保持される注射筒。
【請求項７】
請求項１〜６のいずれか一つに記載の注射筒において、前記注射筒は、ポリオレフィン、好ましくはポリプロピレン（ＰＰ）、またはシクロオレフィン・ポリマー（ＣＯＰ）から構成される注射筒。
【発明の詳細な説明】
【技術分野】
【０００１】
本発明は注射筒に関し、特に、請求項１の導入部に明記される特徴に係る、予め充填可能なまたは予め充填された注射器用の注射筒に関する。
【背景技術】
【０００２】
このタイプの注射筒は、ガラス製か、或いはプラスチック製で、一般的には、予め充填された注射筒を封鎖する封鎖プラグを保持し該封鎖プラグが外された後にはカニューレ、フレキシブルチューブ等が接続可能となる、ルアー接続部を有する。このような注射筒は、例えば欧州特許公開第０７１６８６０Ａ２号公報から知られている。
【特許文献１】欧州特許公開第０７１６８６０Ａ２号公報
【発明の開示】
【発明が解決しようとする課題】
【０００３】
ルアー接続部を有するこれらの注射筒の欠点は、該注射筒が、ルアーまたはルアーロックに適合する接続システムにしか、容易にかつ複雑でない方法で接続できないという点である。しかし、このような接続が存在しないところにフレキシブルチューブを接続しなければならないことが多々あり、このような場合は組み立ておよび密封がかなり複雑になる。
【課題を解決するための手段】
【０００４】
このような背景に対して、本発明の目的は、製造コストが高価でなく、可能な限り包括的に適用できる、ルアー接続部を有する注射筒を提供することである。
【０００５】
本発明によれば、この目的は請求項１に明記される特徴によって達成される。本発明の優れた構成については、従属項、以下の説明、および図面に明記される。
【０００６】
本発明の基本概念は、ルアー接続部の外側に、フレキシブルチューブを直接接続でき特に摺動と密封を平易にする手段を提供することである。このため、本発明は、少なくとも１つのまたは前後に設けられる複数の、注射筒の接続側端部に向かってテーパー状のリングであって、フレキシブルチューブの終端部の摺動を平易にする一方、フレキシブルチューブと該リングの立ち上がり部との間の押圧が増大することによって良好な密封を保証するリングを想定する。同時に、注射筒、ルアー接続部およびリングは、プラスチックの射出成形された１つの部品または複数の部品として製造される。さらに、テーパー形状を有するこのリングはロック接続部の一部を成すものであってもよく、該ロック接続部はその上に接続部品が摺動してもよく、または該ロック接続部によって保護キャップが固着されてもよい。
【０００７】
１つの部品としての設計は、特にバッチ数が大きい場合には製造コストの面で特に好ましい。この場合、工具構造がより複雑になると、コストが高くなる。
【０００８】
リングは、円錐形状で、フレキシブルチューブとリングとの間の実際の密封端部を成す円周の端部を有することが好ましい。この端部は、幾何学的な意味での端部である必要はなく、円形であるか、または比較的幅の狭い立ち上がりのリング部によって形成されてよい。
【０００９】
フレキシブルチューブの、ルアー接続部のシリンダ部へ摺動を平易にするためには、テーパー状の端部を有するリングが段差なくシリンダ部へと連続すると有益である。そうすれば、フレキシブチューブは摺動すると準自動的に拡大され、リングによって案内される。
【００１０】
リングは、シリンダの接続側終端部に完全に設置されることにより、シリンダ部の終端面と同一平面に閉鎖されることが好ましい。適当な場合は、シリンダ部と同一平面に閉鎖するこのリングの後ろに、さらに別のリングが一体的に形成されてもよい。
【００１１】
注射筒とルアー接続部が共にプラスチックの射出成形された１つの部品として形成され、ルアー接続部のシリンダ部とリングがプラスチックの射出成形されたリングと一緒の１つの部品として形成される設計によって、工具の製造は著しく平易になるであろう。この２つの部品は射出された後に結合され、具体的には材料嵌合(material fit)によって相互に接続される。この方法としては溶接が好ましい。工具製作技術に関して、このような設計は、個々の工具がアンダーカットなく対処し、比較的シンプルに構成されていることから有益である。この設計は、タンパー防止封鎖部と組み合わせると特に有益である。その理由として、具体的には、超音波または他の方法で実際の注射筒上に溶接されるシリンダ部は、同時にタンパー防止封鎖部の一部を形成することが可能だからである。あるいは、リングのみがタンパー防止封鎖部の一部を形成することも可能であり、その場合は、後で適切な方法でシリンダ部に接続される。これも溶接によって行われるのが好ましい。
【００１２】
本発明による注射筒は、ポリオレフィン、好ましくはポリプロピレン（ＰＰ）、シクロオレフィン（ＣＯＰ）、または他のバリア・ブラスチック(barrier plastic)から構成されるのが好ましい。これらの材料は、特に前述した射出成形部品の製造に適しており、また容易に溶接可能である。
【発明を実施するための最良の形態】
【００１３】
本発明は、図面に示される実施形態の例を用いて、より詳細に以下に説明される。
【００１４】
図１に示す注射筒１の接続側終端部は、ルアー接続部から成る注射器接続部と同一平面に連続される。尚、注射筒１のもう一方の終端部は本質的に周知の方法でプランジャによって封鎖されてよい。該ルアー接続部は、内部スレッド４を有するシリンダ部３によって包囲されており、その結果、ルアーロック接続部となっている。シリンダ部３の外側には、接続側終端部５に向かってテーパー状のリング６が設けられる。図１の実施形態においては、リング６は、注射筒１、ルアー接続部２、およびシリンダ部３と共に１つの部品として設計されている。
【００１５】
リング６は、幅が狭く本質的に筒状部分７を含み、これは丸型または端部として設計されてもよい。またリング６は（以下に説明するフレキシブルチューブに対して）密閉機能を有すると仮定する。この筒状部分７から、終端部５に向かって円錐状のテーパー形状を有しシリンダ部３の端面９で終わる部分８が延設される。同時に、円錐状のテーパー部を有するリング６が、シリンダ部３の外周と同一平面に連続するような形状になる。つまり、ほぼシリンダ部３の円周に対応する円周へと後退する。壁の厚みによって、接続側終端部５の円錐状のテーパー部８の円周は、残りの領域におけるシリンダ部３の外周よりも小さくてもよい。
【００１６】
リング６は本質的に、弾性のフレキシブルチューブを注射筒１の終端部に直接固着するための役割を果たす。これにより、終端部５に向かって断面がテーパー状のリング６は、本質的にフレキシブルチューブの摺動を平易にする役割をし、またフレキシブルチューブと接続部との間に優れた密閉効果を達成するために、部分７が設けられる。この領域において、弾性的に拡大されたフレキシブルチューブとリング６との間には最大の表面押圧が達成され、この点に関する限り、これは堅固であるとみなされ、よって密閉効果が達成される。
【００１７】
図１を用いて前述した注射筒は１つの部品として製造されてもよいが、シリンダ部３の内側および外側にアンダーカットが存在するため、工具の構成に一定の複雑さをもたらす。この複雑さは、図２に示すように、注射筒１とルアー接続部２とを１つの射出成形された部品として製造する一方、リング６を備えたシリンダ部３を、もう１つの射出形成されたプラスチックの部品として製造すれば、回避可能である。そして、これらの部品を材料嵌合で相互に接続する。円周の溶接シームを符号１０で示す。
【００１８】
図２で示される本実施形態の変形では、さらに封鎖キャップ１１がリングを備えたシリンダ部３上に一体に形成される。封鎖プラグ１２は、確動嵌合で一体化されるか、または適当な場合はこの封鎖キャップ１２内に射出され、ルアー接続部の自由端を内側および外側で包含することによって、これを密封する。封鎖キャップ１１とシリンダ部３との間には薄いウェブ１３が形成され、これは後にタンパー防止封鎖部の破壊箇所を形成する。
【００１９】
リングおよび封鎖プラグ１２を備えたシリンダ部３によって形成される射出成形部は、封鎖プラグ１２に嵌め込んた後、図２に示す位置で、ルアー接続部２上に、または注射筒１の終端部上に設置され、円周を溶接することにより溶接シーム１０が形成される。次いで、注射筒１は充填され、プランジャで密封される。使用する際はシリンダキャップ１１を外す。これにより、ウェブ１３が破壊され、キャップは内蔵された封鎖プラグと共に取り外される。このように開封された注射筒１は、適当であれば内部スレッド４を用いてルアーロック接続部の形で、或いはフレキシブルチューブ接続の形で、上部にリング３６が設けられたシリンダ部３の外周を越えて、ルアー接続部２と接続するために使用できる。
【００２０】
図３による設計は、注射筒１、ルアー接続部２およびシリンダ部３が１つの射出成形された部品として形成される一方、リング６および封鎖キャップ１１、また適当な場合は成形された封鎖プラグ１２が、もう１つの射出成形された部品として形成されるという点で、本質的に前述の形状と異なる。封鎖キャップ１１とリング６との間には、図２のウェブ１３と同様の、タンパー防止封鎖部の破壊箇所を成す薄い壁が提供される。
【００２１】
リング６の領域において、シリンダ部３の外側およびリングの内側はいずれも、本質的に相互に補完する段状に形成され（図４参照）、リング６はシリンダ部３の自由端に対して押圧されることにより、不確動嵌合によって保持される。或いは、これらの部品を材料嵌合で相互に接続するために溶接を行ってもよい。この機能は、本質的には図２を用いて前述した機能に対応する。
【図面の簡単な説明】
【００２２】
【図１】本発明による、ルアーロック接続部およびリングを備えた注射筒の接続側終端部の縦断面図である。
【図２】図１の表示において、シリンダ部とリングとが個別の部品として設計された実施形態の１つの変形を示す図である。
【図３】図１の表示において、リングと封鎖キャップとが１つの部品として製造された、実施形態の第３の変形を示す図である。
【図４】図３の詳細を示す拡大図である。
【符号の説明】
【００２３】
１  注射筒
２  ルアー接続部
３  シリンダ接続部
４  内部スレッド
５  接続側終端部
６  リング
７  筒状部分
8  円錐状のテーパー部
９  終端面
１０  溶接シーム
１１  封鎖キャップ
１２  封鎖プラグ
１３  ウェブ
１４  壁
【図１】
0004681804.tif 000002
【図２】
0004681804.tif 000003
【図３】
0004681804.tif 000004
【図４】
0004681804.tif 000005